(57)【要約】      （修正有）【課題】滑車機構、ポンプ、発電機器により、重力のエネルギーを利用した重力発電機システムを提供する。【解決手段】小型滑車１１Ａ、１２Ａ、１１Ｂ、１２Ｂに対して、大型滑車１５Ａ、１５Ｂ、中型滑車１４Ａ、１４Ｂを回転させるためのワイヤー１３Ａ、１３Ｂを設置し、該ワイヤー１３Ａ、１３Ｂの左右に容器２４Ａ、２４Ｂ、錘１７Ａ、１７Ｂを設置し、さらに該大型滑車１５Ａ、１５Ｂの回転する動力を大型滑車１９Ａ、１９Ｂ、中型滑車１８Ａ、１８Ｂ、中型滑車ワイヤー２０Ａ、２０Ｂを通してダイナモ２３Ａ、２３Ｂへ回転力を連動させるよう設置させる。次に該容器２４Ａ、２４Ｂに対して水２７を移動させて該錘１７Ａ、１７Ｂに対する重さの差を作る手段により該ダイナモ２３Ａ、２３Ｂを回転させる力を有した２台の重力発電機を交互に連動させることで化石燃料を使用せず、自然破壊の低減を可能とした重力発電機システム。【選択図】図１
2013087768.tif 000002
【特許請求の範囲】
【請求項１】
バランスのとれた滑車に対して、前記滑車を回転させるためのワイヤーを設置し、前記ワイヤーの左右に容器と錘を設置し、前記容器の１つに対して少量の電力で駆動する吸引ポンプと廃棄ポンプの制御により、前記容器の内部にある流体物を移動させて前記錘の重さの差を作る手段と、前記滑車に対して回転させる力をつくる手段、また前記滑車に連動して発電機器を駆動させる手段を構成にすることを特徴とした重力発電システム。
【請求項２】
前記請求項１に記載の発電機設備を複数台設置し、且つ前記発電機設備を複数台連動させることで、連続した発電を特徴とした前記請求項１に記載の重力発電システム。
【発明の詳細な説明】
【技術分野】
【０００１】
本発明は、バランスのとれた滑車に対して、前記滑車を回転させるためのワイヤーを設置し、前記ワイヤーの左右に容器と錘を設置し、前記容器の１つに対して少量の電力で駆動する吸引ポンプと廃棄ポンプの制御により、前記容器の内部にある流体物を移動させて前記錘の重さの差を作る手段と、前記滑車に対して回転させる力をつくる手段、また前記滑車に連動して発電機器を駆動させる手段を構成にすることを特徴とした重力発電機システムに関するものである。
【背景技術】
【０００２】
従来の発電機設備としては、自動車やバイクのエンジンや自家発電機のように回転させる動力機構をつくり、ガソリンや軽油などの化石燃料を使用して、前記動力機構を回転させる力をダイナモに連動させて電気をつくる発電機が一般的に多く使用される。
【０００３】
また自然界のエネルギーとして太陽光を利用した太陽光発電、風を利用した風力発電、水の流れを利用して水車の回転を動力として電気をつくる水車発電などの前記自然界のエネルギーを利用して電気をつくる発電機が一般的に多く使用される。
【０００４】
しかしながら前記発電機設備は化石燃料を使用するため、二酸化炭素を増大させるため、今後自然界に多大な影響を及ぼす可能性がある。
【０００５】
さらに自然界のエネルギーを利用する前記太陽光発電、前記風力発電や前記水車発電は、個人で使用する場合、設備費用が大変高価な負担となり、設備に対する設置場所や自然界の大きなエネルギーの変動により、前記風力発電や前記水車発電の破損や前記自然界のエネルギーの変動により管理や安定供給が大変困難である。
【発明の開示】
【発明が解決しようとする課題】
【０００６】
しかしながら上述の様な従来の発電機設備では、ガソリンや軽油などの化石燃料を使用するため燃料の費用が大変高価なものとなるとともに、二酸化炭素を増大させるため、今後自然界に多大な影響を及ぼす可能性がある。
【０００７】
さらに自然界のエネルギーを利用した上述の様な従来の太陽光発電、風力発電や水の流れを利用して水車の回転を動力として電気をつくる水車発電は、処理能力や設備に対する固有の場所や設備費用が大変高価なため負担となり、自然界の大きなエネルギーの変動による管理や安定供給が大変困難である。
【０００８】
従って上述の様な化石燃料を使用する従来の発電機設備や自然界のエネルギーを利用した従来の太陽光発電、風力発電や水の流れを利用して、水車の回転を動力として電気をつくる水車発電ではなく、滑車機構、ポンプ、発電機器をシステムとし、重力のエネルギーを利用した重力発電機システムを使用することで設備に対しての場所や費用の低減を可能とし、自然界のエネルギーによるものではないため安定した電力を維持、管理することが可能となり、さらに自然破壊を防ぐことを可能とすることで前述の問題を解決しようとするものである。
【課題を解決するための手段】
【０００９】
前記問題を解決するために、本発明に係る重力発電機システムは、次のように構成したものである。
【００１０】
即ち、本発明の請求項１に記載の発明は、バランスのとれた滑車に対して、前記滑車を回転させるためのワイヤーを設置し、前記ワイヤーの左右に容器と錘を設置し、前記容器の１つに対して少量の電力で駆動する前記吸引ポンプと前記廃棄ポンプの２つのポンプの制御により、前記容器の内部にある流体物を移動させて前記錘の重さの差を作る手段と、前記滑車に対して回転させる力をつくる手段、また前記滑車に連動して発電機器を駆動させる手段を構成にすることを特徴とした重力発電機システムである。
【００１１】
即ち、本発明の請求項２に記載の発明は、前記請求項１に記載の発電機設備を複数台設置し、且つ前記発電機設備を複数台連動させることで発電の継続を特徴とした前記請求項１に記載の重力発電機システムである。
【発明の効果】
【００１２】
上述のように、本発明の重力発電機システムは、滑車機構、ポンプ、発電機器をシステムとし、重力のエネルギーを利用した重力発電機システムを使用することで設備に対しての場所や費用の低減を可能とし、また太陽光、風力、水力の自然界のエネルギーによるものではないため、管理が簡易となり、また安定した電力を維持することが可能となり、さらに化石燃料を使用しないため二酸化炭素を出さず自然破壊につながる可能性がなくなった。
【００１３】
また上述のような前記重力発電機システムより吸引ポンプと廃棄ポンプの２つのポンプで使用する少量の電力の使用と重力のエネルギーを利用して効率よく滑車機構を連動させて発電機器を駆動させることで大変効率の良い発電を行うことが可能となり、且つ自然界における太陽光、風力、水力のエネルギーによるものではないため、大変安定した電力を維持、管理することが可能となり、効率の良い安価な発電機システムを可能とした。
【発明を実施するための最良の形態】
【００１４】
以下、本発明に係る重力発電機システムの実施の形態を図１に基づいて詳細に説明する。
【実施例】
【００１５】
図１は本発明の一実施例を適用したバランスのとれた滑車に対して、前記滑車を回転させるためのワイヤーを設置し、前記ワイヤーの左右に容器と錘を設置し、前記容器の１つに対して前記錘と同等の重さになるように流体物を入れて、少量の電力で駆動する２つの前記吸引ポンプと前記廃棄ポンプの２つのポンプの制御により、前記容器内にあるに流体物を移動させて前記錘の重さの差を作る手段と、前記滑車に対して回転させる力をつくる手段、また前記滑車に連動して発電機器を駆動させる設備を有した２台の重力発電機システムを連動させた概要を模式的に示す構成説明図である。
【００１６】
上述のような図１の一実施例の条件として、本発明で使用される流体物は通常の水を使用する。
【００１７】
即ち、図１に示す実施例、重力発電機システム１０の天井部に対し小型滑車Ａ１１Ａ、小型滑車Ｃ１２Ａ、小型滑車Ｂ１１Ｂ、小型滑車Ｄ１２Ｂを設置し、前記重力発電機システム１０の側面部に大型滑車Ａ１５Ａ、大型滑車Ｂ１５Ｂを設置し、前記大型滑車Ａ１５Ａ、前記大型滑車Ｂ１５Ｂと同じ中心を持つ中型滑車Ａ１４Ａ、中型滑車Ｂ１４Ｂを設置し、前記大型滑車Ａ１５Ａと中型滑車Ａ１４Ａは固定されており、また前記大型滑車Ｂ１５Ｂと中型滑車Ｂ１４Ｂは固定されている。
【００１８】
前記大型滑車Ａ１５Ａ及び前記中型滑車Ａ１４Ａを回転させるため前記小型滑車Ａ１１Ａから前記中型滑車Ａ１４Ａ、前記小型滑車Ｃ１２ＡにワイヤーＡ１３Ａを設置し、前記小型滑車Ａ１１Ａ側の前記ワイヤーＡ１３Ａの先端部に固定された錘Ａ１７Ａを設置し、さらに前記小型滑車Ｃ１２Ａ側の前記ワイヤーＡ１３Ａの先端部に水２７を入れることが可能な容器Ａ２４Ａを設置する。
【００１９】
上記同様に前記大型滑車Ｂ１５Ｂ及び中型滑車Ｂ１４Ｂを回転させるため前記小型滑車Ｄ１２Ｂから前記中型滑車Ｂ１４Ｂ、前記小型滑車Ｂ１１ＢにワイヤーＢ１３Ｂを設置し、前記小型滑車Ｄ１２Ｂ側の前記ワイヤーＢ１３Ｂの先端部に固定された錘Ｂ１７Ｂを設置し、さらに前記小型滑車Ｂ１１Ｂ側の前記ワイヤーＢ１３Ｂの先端部に前記水２７を入れることが可能な容器Ｂ２４Ｂを設置する。
【００２０】
前記ワイヤーＡ１３Ａ、前記ワイヤーＢ１３Ｂの各先端部にある前記錘Ａ１７Ａ、前記錘Ｂ１７Ｂに対して重さがほぼ同一にバランスが保てるように前記容器Ａ２４Ａ、前記容器Ｂ２４Ｂに前記水２７を入れて設置する。
【００２１】
前記大型滑車Ａ１５Ａの回転駆動が発電機であるダイナモＡ２３ＡのダイナモＡ回転部２３Ｃに連動可能なように、前記大型滑車Ａ１５Ａの下部に距離を置き、もう１つの大型滑車Ｃ１９Ａを設置し、前記大型滑車Ｃ１９Ａと同じ中心に中型滑車Ｃ１８Ａを設置し、前記大型滑車Ｃ１９Ａと中型滑車Ｃ１８Ａは固定されている。  また前記大型滑車Ａ１５Ａの回転駆動を前記大型滑車Ｃ１９Ａに連動させるため、前記大型滑車Ａ１５Ａと中型滑車Ｃ１８ＡにワイヤーＣ１６Ａを設置させる。さらに前記大型滑車Ｃ１９Ａの回転駆動を前記ダイナモＡ２３Ａの前記ダイナモＡ回転部２３Ｃに連動させて回転させるように前記大型滑車Ｃ１９Ａと前記ダイナモＡ２３Ａの前記ダイナモＡ回転部２３ＣにワイヤーＥ２０Ａを設置させる。
【００２２】
上記同様に、前記大型滑車Ｂ１５Ｂの回転駆動が発電機であるダイナモＢ２３ＢのダイナモＢ回転部２３Ｄに接続可能なように、前記大型滑車Ｂ１５Ｂの下部に距離を置き、もう１つの大型滑車Ｄ１９Ｂを設置し、前記大型滑車Ｄ１９Ｂと同じ中心に中型滑車Ｄ１８Ｂを設置し、前記大型滑車Ｄ１９Ｂと中型滑車Ｄ１８Ｂは固定されている。  また前記大型滑車Ｂ１５Ｂの回転駆動を前記大型滑車Ｄ１９Ｂに連動させるため、前記大型滑車Ｂ１５Ｂと中型滑車Ｄ１８ＢにワイヤーＤ１６Ｂを設置させる。さらに前記大型滑車Ｄ１９Ｂの回転駆動を前記ダイナモＢ２３Ｂの前記ダイナモＢ回転部２３Ｄに連動させて回転させるように前記大型滑車Ｄ１９Ｂと前記ダイナモＢ２３Ｂの前記ダイナモＢ回転部２３ＤにワイヤーＦ２０Ｂを設置させる。
【００２３】
共通水槽３４に前記水２７を入れて前記水２７を容器Ａ２４Ａと容器Ｂ２４Ｂに前記水２７を入水させる移動可能な出力ポンプ３０Ｂを設置し、さらに前記容器Ａ２４Ａ、前記容器Ｂ２４Ｂにある前記水２７を前記共通水槽３４へ出水させる移動可能な入力ポンプ３０Ａを設置する。また前記共通水槽３４内の前記水２７を吸引、廃棄するために前記入力ポンプ３０Ａには入力ポンプ廃棄パイプ３３Ａを設置し、前記出力ポンプ３０Ｂには出力ポンプ吸引パイプ３３Ａを設置する。
【００２４】
コントローラ３４に電源を入れて前記コントローラ３４のリセットボタン３４Ａを押すと前記重力発電機システム１０を駆動させる前記入力ポンプ３０Ａにある入力ポンプ容器Ａ用電磁弁３２Ａを開放、入力ポンプ容器Ｂ用電磁弁３１Ａを閉鎖し、前記入力ポンプ３０Ａを駆動させて前記容器Ａ２４Ａ内にある前記水２７を容器Ａ出口２６Ａから容器Ａ出口パイプ２８Ａを通り、前記共通水槽３４内に移動させると、前記錘Ａ１７Ａの重さに対して前記容器Ａ２４Ａが軽くなるため、前記錘Ａ１７Ａは重力によりワイヤーＡ１３Ａを引っ張りながら下へ移動すると同時に前記容器Ａ２４Ａが連動しながら上へ移動すると同時に前記小型滑車Ａ１１Ａ、前記小型滑車Ｃ１２Ａ、前記中型滑車Ａ１４Ａ、前記大型滑車Ａ１５Ａが回転をはじめ、回転駆動を前記ワイヤーＣ１６Ａが連動し、前記中型滑車Ｃ１８Ａ、前記大型滑車Ｃ１９Ａが回転をはじめ、さらに回転駆動を前記ワイヤーＥ２０Ａが連動して、前記ダイナモＡ２３Ａの前記ダイナモＡ回転部２３Ｃに連動し、前記ダイナモＡ回転部２３Ｃを回転させる。この時前記錘Ａ１７Ａが錘Ａ中間センサー３６Ａに反応した時、前記入力ポンプ容器Ａ用電磁弁３２Ａを閉鎖し、前記入力ポンプ３０Ａを停止させて待機する。
【００２５】
上記内容と同時に前記出力ポンプ３０Ｂにある出力ポンプ容器Ｂ用電磁弁３１Ｂを開放、出力ポンプ容器Ａ用電磁弁３２Ｂを閉鎖し、前記出力ポンプ３０Ｂを駆動させて前記共通水槽３４内にある前記水２７を容器Ｂ入口パイプ２９Ｂから容器Ｂ入口２６Ｂを通して前記共通水槽３４内にある前記水２７を移動させると、前記錘Ｂ１７Ｂの重さに対して前記容器Ｂ２４Ｂが重くなるため、前記錘Ｂ１７Ｂは重力により前記ワイヤーＢ１３Ｂを引っ張りながら上へ移動すると同時に前記容器Ｂ２４Ｂが連動しながら下へ移動すると同時に前記小型滑車Ｂ１１Ｂ、前記小型滑車Ｄ１２Ｂ、前記中型滑車Ｂ１４Ｂ、前記大型滑車Ｂ１５Ｂが回転をはじめ、回転駆動を前記ワイヤーＤ１６Ｂが連動し前記中型滑車Ｄ１８Ｂ、前記大型滑車Ｄ１９Ｂが回転をはじめ、さらに回転駆動を前記ワイヤーＦ２０Ｂが連動し前記ダイナモＢ２３Ｂの前記ダイナモＢ回転部２３Ｄに連動し前記ダイナモＢ回転部２３Ｄを回転させる。この時前記容器Ｂ２４Ｂが容器Ｂ中間センサー３７Ｂに反応した時、前記出力ポンプ容器Ｂ用電磁弁３１Ｂを閉鎖し、前記出力ポンプ３０Ｂを停止させて待機する。
【００２６】
上記の状態を前記重力発電機システム１０のリセット状態とし、前記コントローラ３４に連動している前記センサー２１ＡはＯＮ、前記センサー２２ＡはＯＦＦ、前記センサー２１ＢはＯＮ、前記センサー２２ＢはＯＦＦと設定されている状態となる。
【００２７】
上記のリセット状態から前記コントローラ３４のスタートボタン３４Ｂを押すと前記出力ポンプ３０Ｂの前記出力ポンプ容器Ａ用電磁弁３２Ｂが開放し、前記出力ポンプ容器Ｂ用電磁弁３１Ｂが閉鎖する。また前記入力ポンプ３０Ａの前記入力ポンプ容器Ｂ用電磁弁３１Ａ、前記入力ポンプ容器Ａ用電磁弁３２Ａが閉鎖する。  次に前記出力ポンプ３０Ｂの駆動により、前記共通水槽３４内にある前記水２７が前記容器Ａ入口パイプ２９Ａ、前記容器Ａ入口２５Ａを通り、前記容器Ａ２４Ａへ前記容器Ａ２４Ａの容量の１０分の１、量移動させることで前記錘Ａ１７Ａに対して前記容器Ａ２４Ａの重量が重くなるため、前記容器Ａ２４Ａは重力により下へ移動すると同時に前記ワイヤー１３Ａを引っ張りながら前記錘Ａ１７Ａが連動し、上へ移動すると同時に前記小型滑車Ａ１１Ａ、小型滑車Ｃ１２Ａ、中型滑車Ａ１４Ａ、大型滑車Ａ１５Ａが回転をはじめ、回転駆動を前記ワイヤーＣ１６Ａが連動し前記中型滑車Ｃ１８Ａ、前記大型滑車Ｃ１９Ａが回転をはじめ、さらに回転駆動を前記ワイヤーＥ２０Ａが連動し前記ダイナモ２３Ａの前記ダイナモＡ回転部２３Ｃに連動し前記ダイナモＡ回転部２３Ｃを回転させることで発電を開始しダイナモＡ電源出力部３５Ａへ電気を出力する。
【００２８】
さらに前記ダイナモＡ回転部２３Ｃを回転させながら前記容器２４Ａが下へ移動し、容器Ａ中間センサー３７Ａが前記容器２４Ａを感知した時点で、前記出力ポンプ３０Ｂを止めると同時に前記出力ポンプ容器Ａ用電磁弁３２Ｂを閉鎖する。  次に前記入力ポンプ３０Ａの前記入力ポンプ容器Ｂ用電磁弁３１Ａを開放し、前記入力ポンプ容器Ａ用電磁弁３２Ａを閉鎖する。また前記入力ポンプ３０Ａの駆動により前記容器２４Ｂ内にある前記水２７を前記容器Ｂ出口２５Ｂ、前記容器Ｂ出口パイプ２８Ｂ、前記入力ポンプ廃棄パイプ３３Ａを通り、前記共通水槽３４へ前記容器２４Ｂの容量の１０分の１、量移動させることで、前記容器Ｂ２４Ｂに対して前記錘Ｂ１７Ｂの重量が重くなるため、前記錘Ｂ１７Ｂは重力により下へ移動すると同時に前記ワイヤーＢ１３Ｂを引っ張りながら前記容器２４Ｂが連動し上へ移動すると同時に前記小型滑車Ｂ１１Ｂ、前記小型滑車Ｄ１２Ｂ、中型滑車Ｂ１４Ｂ、大型滑車Ｂ１５Ｂが回転をはじめ、回転駆動を前記ワイヤーＤ１６Ｂが連動し前記中型滑車Ｄ１８Ｂ、前記大型滑車Ｄ１９Ｂが回転をはじめてさらに回転駆動を前記ワイヤーＦ２０Ｂが連動し前記ダイナモＢ２３Ｂの前記ダイナモＢ回転部２３Ｄに連動し前記ダイナモ回転部２３Ｄを回転させることで発電を開始しダイナモＢ電源出力部３５Ｂへ電気を出力する。
【００２９】
次に前記センサーＣ２２Ａが前記容器Ａ２４Ａを感知した時点で待機状態となる。  さらに前記錘Ｂ１７Ｂが下へ移動し、前記錘Ｂ中間センサー３６Ｂが前記錘Ｂ１７Ｂを感知した時点で、前記入力ポンプ３０Ａの前記入力ポンプ容器Ａ用電磁弁３２Ａを開放し、前記入力ポンプ容器Ｂ電磁弁３１Ａを閉鎖する。次に前記入力ポンプ３０Ａの駆動により、前記容器Ａ２４Ａ内にある前記水２７が、前記容器Ａ出口２６Ａ、前記容器Ａ出口パイプ２８Ａを通り、前記共通水槽３４へ前記容器Ａ２４Ａの容量の１０分の１量移動させることで前記容器Ａ２４Ａに対して前記錘Ａ１７Ａの重量が重くなるため、前記錘Ａ１７Ａは重力により下へ移動すると同時に前記ワイヤーＡ１３Ａを引っ張りながら前記容器Ａ２４Ａが連動し上へ移動すると同時に前記小型滑車Ａ１１Ａ、前記小型滑車Ｃ１２Ａ、前記中型滑車Ａ１４Ａ、前記大型滑車Ａ１５Ａが回転をはじめて回転駆動を前記ワイヤーＣ１６Ａが連動し前記中型滑車Ｃ１８Ａ、前記大型滑車Ｃ１９Ａが回転をはじめ、さらに回転駆動を前記ワイヤーＥ２０Ａが連動し前記ダイナモＡ２３Ａの前記ダイナモＡ回転部２３Ｃに連動し前記回転部２３Ｃを回転させることで発電を開始しダイナモＡ電源出力部３５Ａへ電気を出力する。
【００３０】
上記の前記錘Ａ１７Ａと前記容器Ａ２４Ａの上下の運動に連動して前記錘Ｂ１７Ｂと前記容器Ｂ２４Ｂの上下の運動を繰り返すことで前記ダイナモＡ２３Ａの前記ダイナモＡ回転部２３Ｃと前記ダイナモＢ２３Ｂの前記ダイナモＢ回転部２３Ｄを交互に回転させて、前記ダイナモＡ２３Ａより発電した電気が前記ダイナモＡ電気出力部３５Ａと前記ダイナモＢ２３Ｂより発電した電気が前記ダイナモＡ電気出力部３５Ｂから交互に電気を出力し安定した電気を供給することが可能になる。
【００３１】
今回、上述の一実施例示す図１のように生成される電力は、前記ダイナモＡ２３Ａ、前記ダイナモＢ２３Ｂから作られたワット数に対して、前記入力ポンプＡ３０Ａ、前記出力ポンプＢ３０Ｂで使用するワット数は大変低いため、大変効率のよい重力発電機を可能とする。
【００３２】
また前記ダイナモＡ電気出力部３５Ａ、前記ダイナモＢ電気出力部３５Ｂに蓄電器を設置することで電気を蓄電することが可能となる。
【００３３】
さらに上述の一実施例示す図１のような前記重力発電機１０を複数台連動させることで、電気を供給するワット数を上げることが可能となる。
【００３４】
従って本実施例の構成では、先に述べた従来例の場合と比較して次のようなそれぞれの効果が得られる。即ち、
（１）重力発電機は少量の電気で２つのポンプを制御して重さのバランスを調整、制御し、重力の差を用いてダイナモを駆動させることを可能とするため、ガソリンや軽油などの化石燃料を使用して電気をつくる従来の発電機に比べて、化石燃料を使用しないため二酸化炭素を出さず自然破壊につながる可能性がなくなった。
（２）重力発電機の設備は自然界のエネルギーを利用する従来の太陽光発電、風力発電や水車発電に比べて設置場所が簡易となり、さらに自然界のエネルギーの変動を管理する必要がないため、費用が大変安価となり、発電機の破損や管理をする必要が少なくなり、安定した電力の確保が可能となった。
【図面の簡単な説明】
【００３５】
【図１】図１は本発明の一実施例を適用したバランスのとれた滑車に対して、前記滑車を回転させるためのワイヤーを設置し、前記ワイヤーの左右に容器と錘を設置し、前記容器の１つに対して前記錘と同等の重さになるように流体物を入れて、少量の電力で駆動する２つの前記吸引ポンプと前記廃棄ポンプの２つのポンプの制御により、前記容器内にあるに流体物を移動させて前記錘の重さの差を作る手段と、前記滑車に対して回転させる力をつくる手段、また前記滑車に連動して発電機器を駆動させる設備を有した２台の重力発電機システムを連動させた概要を模式的に示す構成説明図である。
【符号の説明】
【００３６】
１０    重力発電機
１１Ａ  小型滑車Ａ
１１Ｂ  小型滑車Ｂ
１２Ａ  小型滑車Ｃ
１２Ｂ  小型滑車Ｄ
１３Ａ  ワイヤーＡ
１３Ｂ  ワイヤーＢ
１４Ａ  中型滑車Ａ
１４Ｂ  中型滑車Ｂ
１５Ａ  大型滑車Ａ
１５Ｂ  大型滑車Ｂ
１６Ａ  ワイヤーＣ
１６Ｂ  ワイヤーＤ
１７Ａ  錘Ａ
１７Ｂ  錘Ｂ
１８Ａ  中型滑車Ｃ
１８Ｂ  中型滑車Ｄ
１９Ａ  大型滑車Ｃ
１９Ｂ  大型滑車Ｄ
２０Ａ  ワイヤーＥ
２０Ｂ  ワイヤーＦ
２１Ａ  センサーＡ
２１Ｂ  センサーＢ
２２Ａ  センサーＣ
２２Ｂ  センサーＤ
２３Ａ  ダイナモＡ
２３Ｂ  ダイナモＢ
２３Ｃ  ダイナモＡ回転部
２３Ｄ  ダイナモＢ回転部
２４Ａ  容器Ａ
２４Ｂ  容器Ｂ
２５Ａ  容器Ａ入口
２５Ｂ  容器Ｂ出口
２６Ａ  容器Ａ出口
２６Ｂ  容器Ｂ入口
２７    水
２８Ａ  容器Ａ出口パイプ
２８Ｂ  容器Ｂ出口パイプ
２９Ａ  容器Ａ入口パイプ
２９Ｂ  容器Ｂ入口パイプ
３０Ａ  入力ポンプ
３０Ｂ  出力ポンプ
３１Ａ  入力ポンプ容器Ｂ用電磁弁
３１Ｂ  出力ポンプ容器Ｂ用電磁弁
３２Ａ  入力ポンプ容器Ａ用電磁弁
３２Ｂ  出力ポンプ容器Ａ用電磁弁
３３Ａ  入力ポンプ廃棄パイプ
３３Ｂ  出力ポンプ吸引パイプ
３４    コントローラ
３４Ａ  リセットボタン
３４Ｂ  スタートボタン
３５Ａ  ダイナモＡ電気出力部
３５Ｂ  ダイナモＡ電気出力部
３６Ａ  錘Ａ中間センサー
３６Ｂ  錘Ｂ中間センサー
３７Ａ  容器Ａ中間センサー
３７Ｂ  容器Ｂ中間センサー
【図１】
2013087768.tif 000003